(57)【要約】      （修正有）【課題】揮発の内気圧、自重、空気との交換の何れにも影響されることなく、液の適量吐出が可能である。【解決手段】液を吐出させる吐出部１０と、吐出部１０に供給する液を貯留する液貯蔵部を有する液吐出容器であり、吐出部１０は、液を貯留する液室１１と、液貯蔵部に連通し液を液室１１に導入する導入通路１２と、液室１１の液を吐出させる吐出通路１３と、吐出通路１３を開閉する吐出制御弁１４ａと、導入通路１２を開閉する導入制御弁１４ｂを有する棒部材１４と、を備え、棒部材１４は、平常状態では、吐出制御弁１４ａが吐出通路１３を閉じていて、導入制御弁１４ｂが導入通路１２を開けていても、液の吐出が不可能であり、押し上げにより移動して吐出制御弁１４ａが吐出通路１３を開き液の吐出を開始し、導入制御弁１４ｂが導入通路１２を閉じるまで液の吐出を続ける。【選択図】図２
2015107804.tif 000002
【特許請求の範囲】
【請求項１】
液を吐出させる吐出部と、前記吐出部に供給する液を貯留する液貯蔵部を有する液吐出容器であり、
前記吐出部は、
液を貯留する液室と、
前記液貯蔵部に連通し液を前記液室に導入する導入通路と、
前記液室の液を吐出させる吐出通路と、
前記吐出通路を開閉する吐出制御弁と、前記導入通路を開閉する導入制御弁を有する棒部材と、を備え、
前記棒部材は、
平常状態では、前記吐出制御弁が前記吐出通路を閉じていて、前記導入制御弁が前記導入通路を開けていても、液の吐出が不可能であり、
押し上げにより移動して前記吐出制御弁が前記吐出通路を開き液の吐出を開始し、前記導入制御弁が前記導入通路を閉じるまで液の吐出を続けることを特徴とする液吐出容器。
【請求項２】
前記吐出部に蓋をするキャップを備え、
前記キャップが前記吐出部の蓋をした状態では、
前記棒部材を押し上げにより移動して前記吐出制御弁が前記吐出通路を開き、前記導入制御弁が前記導入通路を閉じるまでの間、液の吐出が続けられる状態を維持し、
前記吐出制御弁が前記吐出通路を開き、液の吐出が続けられる状態であっても前記キャップにより液の吐出が不可能であり、
前記キャップが前記吐出部の蓋を外した状態では、
前記棒部材が押し上げと反対方向に移動して前記吐出制御弁が前記吐出通路を閉じ、前記導入制御弁が前記導入通路を開き、
前記平常状態とすることを特徴とする請求項１に記載の液吐出容器。
【請求項３】
前記棒部材は、
液を吐出させる溝部を有することを特徴とする請求項１又は請求項２に記載の液吐出容器。
【請求項４】
前記棒部材は、
先端部に、ブラシ又は刷毛を有することを特徴とする請求項１乃至請求項３のいずれか１項に記載の液吐出容器。
【請求項５】
前記吐出制御弁は、液を溜める凹部を有することを特徴とする請求項１乃至請求項４のいずれか１項に記載の液吐出容器。
【発明の詳細な説明】
【技術分野】
【０００１】
この発明は、育毛剤や整髪料、洗浄剤、化粧剤、美容剤等の液を貯留する液貯蔵部を有し、これらの液を適量吐出することのできる液吐出容器に関するものである。
【背景技術】
【０００２】
例えば、育毛剤や化粧液等の液を、使用の度に、一定量に計量して吐出する吐出容器が用いられ、このものは、中栓に配置された円筒部を適宜上下動させて、第一弁および第二弁を交互に開閉することにより、容器本体内の内容液を計量筒部に流し込んで計量し、この計量筒部内の内容液を、注出口から注出するようにしていた（特許文献１）。
【０００３】
また、吐出する液を計量する計量室の供給口と吐出口を、「計量状態」から「吐出状態」への切り換わりの途中で、両方を同時に閉鎖する状態とし、これにより吐出状態時に、計量されていない液が不正に吐出されるのを阻止して、計量吐出するものがある（特許文献２）。
【先行技術文献】
【特許文献】
【０００４】
【特許文献１】特開２００２−３３７９１０号公報
【特許文献２】特開２００９−２９２５０７号公報
【発明の概要】
【発明が解決しようとする課題】
【０００５】
しかしながら、吐出容器内、または計量筒部、あるいは計量室内の気圧が、液に含まれるアルコール等が温度の影響によって揮発し、この揮発によって気圧が高まり液を押し出すことがある。また、液の自重により液を押し出すことがある。このような現象が生じる場合、どちらかの弁が閉じられて出口を塞ぐことになるから液が吐出しない惧れがある。
【０００６】
また、計量筒部、計量室内の出口が開いていても、吐出容器から計量筒部、計量室内に液を供給する供給口が塞がれていれば、計量筒部、計量室内の液の揮発だけでは液を吐出するだけの気圧が高まらないから液が吐出しないことがある。また、計量筒部、計量室内の液を吐出させるには、液と空気の入れ替えを行う必要があるが、弁が閉じられることで液と空気の入れ替えを行うことができず、液が吐出しないことがある。
【０００７】
この発明は、これら従来の問題点を解消し、揮発の内気圧、自重、空気との交換の何れにも影響されることなく、液の適量吐出が可能である液吐出容器を提供することを目的とするものである。
【課題を解決するための手段】
【０００８】
前記課題を解決し、かつ目的を達成するために、この発明は、以下のように構成した。
【０００９】
請求項１に記載の発明は、液を吐出させる吐出部と、前記吐出部に供給する液を貯留する液貯蔵部を有する液吐出容器であり、
前記吐出部は、
液を貯留する液室と、
前記液貯蔵部に連通し液を前記液室に導入する導入通路と、
前記液室の液を吐出させる吐出通路と、
前記吐出通路を開閉する吐出制御弁と、前記導入通路を開閉する導入制御弁を有する棒部材と、を備え、
前記棒部材は、
平常状態では、前記吐出制御弁が前記吐出通路を閉じていて、前記導入制御弁が前記導入通路を開けていても、液の吐出が不可能であり、
押し上げにより移動して前記吐出制御弁が前記吐出通路を開き液の吐出を開始し、前記導入制御弁が前記導入通路を閉じるまで液の吐出を続けることを特徴とする液吐出容器である。
【００１０】
請求項２に記載の発明は、前記吐出部に蓋をするキャップを備え、
前記キャップが前記吐出部の蓋をした状態では、
前記棒部材を押し上げにより移動して前記吐出制御弁が前記吐出通路を開き、前記導入制御弁が前記導入通路を閉じるまでの間、液の吐出が続けられる状態を維持し、
前記吐出制御弁が前記吐出通路を開き、液の吐出が続けられる状態であっても前記キャップにより液の吐出が不可能であり、
前記キャップが前記吐出部の蓋を外した状態では、
前記棒部材が押し上げと反対方向に移動して前記吐出制御弁が前記吐出通路を閉じ、前記導入制御弁が前記導入通路を開き、
前記平常状態とすることを特徴とする請求項１に記載の液吐出容器である。
【００１１】
請求項３に記載の発明は、
前記棒部材は、
液を吐出させる溝部を有することを特徴とする請求項１又は請求項２に記載の液吐出容器である。
【００１２】
請求項４に記載の発明は、
前記棒部材は、
先端部に、ブラシ又は刷毛を有することを特徴とする請求項１乃至請求項３のいずれか１項に記載の液吐出容器である。
【００１３】
請求項５に記載の発明は、
前記吐出制御弁は、液を溜める凹部を有することを特徴とする請求項１乃至請求項４のいずれか１項に記載の液吐出容器である。
【発明の効果】
【００１４】
前記構成により、この発明は、以下のような効果を有する。
【００１５】
請求項１に記載の発明では、棒部材は、平常状態では、吐出制御弁が吐出通路を閉じていて、導入制御弁が導入通路を開けていても、液の吐出が不可能であり、押し上げにより移動して吐出制御弁が吐出通路を開き液の吐出を開始し、導入制御弁が導入通路を閉じるまで液の吐出を続けることで、揮発の内気圧、自重、空気との交換の何れにも影響されることなく、液の適量吐出が可能である。
【００１６】
請求項２に記載の発明では、キャップが吐出部の蓋をした状態では、棒部材を押し上げにより移動して吐出制御弁が吐出通路を開き、導入制御弁が導入通路を閉じるまでの間、液の吐出が続けられる状態を維持し、吐出制御弁が吐出通路を開き、液の吐出が続けられる状態であってもキャップにより液の吐出が不可能である。使用するために、キャップを取り外し、吐出部の蓋を外した状態にすると、棒部材が押し上げと反対方向に移動して吐出制御弁が吐出通路を閉じ、導入制御弁が導入通路を開き、平常状態とする。
【００１７】
請求項３に記載の発明では、棒部材は、液を吐出させる溝部を有することで、簡単な構造で液を円滑に流れるようにして吐出させることができる。      
【００１８】
請求項４に記載の発明では、棒部材は、先端部に、ブラシ又は刷毛を有することで、ブラシ又は刷毛によって液を塗布することができる。
【００１９】
請求項５に記載の発明では、吐出制御弁は、液を溜める凹部を有することで、凹部に液が溜まり、塗布開始時にすぐに液を吐出させることができる。
【図面の簡単な説明】
【００２０】
【図１】第１の実施の形態の液吐出容器を示す斜視図である。
【図２】吐出部を示す断面図である。
【図３】他の吐出部を示す断面図である。
【図４】他の吐出部を示す断面図である。
【図５】他の吐出部を示す断面図である。
【図６】他の吐出部を示す断面図である。
【図７】他の吐出部を示す断面図である。
【図８】第２の実施の形態の液吐出容器を示す斜視図である。
【図９】第３の実施の形態の吐出部を示す断面図である。
【図１０】第４の実施の形態の吐出部を示す断面図である。
【図１１】第５の実施の形態の吐出部を示す断面図である。
【図１２】第６の実施の形態の棒部材と頭皮刺激部材の配置を示す図である。
【図１３】第７の実施の形態の液吐出容器を示す図である。
【図１４】第８の実施の形態の液吐出容器を示す斜視図である。
【図１５】吐出部を示す断面図である。
【図１６】液吐出容器の使用状態を示す図である。
【図１７】液吐出容器の使用状態を示す図である。
【発明を実施するための形態】
【００２１】
以下、この発明の液吐出容器の実施の形態について説明する。この発明の実施の形態は、発明の最も好ましい形態を示すものであり、この発明はこれに限定されない。この液吐出容器は、育毛剤や整髪料、洗浄剤、化粧剤、美容剤等の液を貯留しており、これらの液を適量吐出するものである。
【００２２】
（第１の実施の形態）
この実施の形態の液吐出容器１は、図１に示すように構成され、図１（ａ）はキャップを外した状態を示し、図１（ｂ）はキャップを閉じた状態を示す。この液吐出容器１は、吐出部１０、液貯蔵部２０を有し、この液貯蔵部２０に吐出部１０が螺着して取り付けられている。この吐出部１０には、棒部材１４が備えられ、この棒部材１４を押し上げることによって液が吐出される。液としては、育毛剤や整髪料、洗浄剤、化粧剤、美容剤等が用いられる。液貯蔵部２０は、液を貯留しており、吐出部１０に液を供給する。この吐出部１０、液貯蔵部２０及びキャップ３０は、合成樹脂により形成されているが、ガラスで形成してもよい。また、この実施の形態では、吐出部１０が１個設けられているが、これに限らず複数個設けてもよい。
【００２３】
この実施の形態の吐出部１０は、図２に示すように構成され、図２（ａ）はキャップを閉じた状態を示し、図２（ｂ）はキャップを開いた状態を示し、図２（ｃ）は使用時に液が吐出する状態を示し、図２（ｄ）は使用時に液が吐出しない状態を示す。この吐出部１０は、液を貯留する液室１１、導入通路１２、吐出通路１３を有する。導入通路１２は、液貯蔵部２０に連通しており、液を液室１１に導入し、吐出通路１３は、液室１１の液を吐出させる。吐出部１０に備えられる棒部材１４は、吐出通路１３を開閉する吐出制御弁１４ａと、導入通路１２を開閉する導入制御弁１４ｂを有し、付勢手段１５によって吐出制御弁１４ａが吐出通路１３を閉じ、導入制御弁１４ｂが導入通路１２を開くように付勢する。導入制御弁１４ｂは、棒部材１４の後端部を小径にして形成したテーパ部によって構成される。
【００２４】
キャップ３０は、吐出部１０に蓋をした状態では、キャップ３０が棒部材１４を押し上げるため、この押し上げにより棒部材１４が移動して吐出制御弁１４ａが吐出通路１３を開き、導入制御弁１４ｂが導入通路１２を閉じる（図２（ａ））。使用時にキャップ３０を取り外し、吐出部１０の蓋を外した状態にすると、棒部材１４が付勢手段１５によって押し上げと反対方向に移動し、吐出制御弁１４ａが吐出通路１３を閉じ、導入制御弁１４ｂが導入通路１２を開き、平常状態とする（図２（ｂ））。この平常状態では、棒部材１４は、吐出制御弁１４ａが吐出通路１３を閉じ、導入制御弁１４ｂが導入通路１２を開き、液貯蔵部２０から液が導入通路１２を通り液室１１に導入される。この液は、吐出通路１３から吐出不可能であり、液室１１に溜まる。
【００２５】
育毛剤や整髪料などを頭部に塗布するなどの使用時には、棒部材１４の先端部を頭部に当てることで、棒部材１４は押し上げにより移動して吐出制御弁１４ａが吐出通路１３を開き液室１１の液の吐出を開始し、導入制御弁１４ｂが導入通路１２を閉じるまで液の吐出を続ける（図２（ｃ））。導入制御弁１４ｂが導入通路１２を閉じると、吐出制御弁１４ａが吐出通路１３を開いているが、液貯蔵部２０から液が導入通路１２を通り液室１１に導入されることがないから、液室１１の液は吐出通路１３から吐出することはない（図２（ｄ））。
【００２６】
このように、棒部材１４は、平常状態では、吐出制御弁１４ａが吐出通路１３を閉じ、導入制御弁１４ｂが導入通路１２を開き、液の吐出が不可能であり、使用時に、棒部材１４が押し上げにより移動すると、吐出制御弁１４ａが吐出通路１３を開き液の吐出を開始し、導入制御弁１４ｂが導入通路１２を閉じるまで液の吐出を続け、この開始から閉じるまでで吐出量が決まる。したがって、揮発の内気圧、自重、空気との交換の何れにも影響されることなく、液の適量吐出が可能である。
【００２７】
棒部材１４は、図３乃至図５のように構成することができる。図３の実施の形態の導入制御弁１４ｂは、棒部材１４の後端部に形成した鍔部によって構成され、図４の実施の形態の導入制御弁１４ｂは、棒部材１４の軸部を大形にして後端部が導入通路１２を閉じる構成である。
【００２８】
図５（ａ）の実施の形態の棒部材１４は、樹脂成形であり、先端部が球面状であり、図５（ｂ）の実施の形態の棒部材１４は、先端部に液を吐出させる溝部１４ｃを有し、この溝部１４ｃにより、液を吐出させことで、簡単な構造で液を円滑に流れるようにして吐出させることができる。図５（ｃ）の実施の形態の棒部材１４は、先端部に、ブラシ又は刷毛１４ｄを有し、このブラシ又は刷毛１４ｄによって液を塗布することができる。図５（ｄ）の実施の形態のブラシ又は刷毛１４ｄは樹脂棒状であり、図５（ｅ）の実施の形態のブラシ又は刷毛１４ｄは樹脂棒状先端に玉が形成されたものである。また、ブラシ又は刷毛１４ｄは、樹脂毛、豚毛、樹脂毛と豚毛を混合させたものなどが用いられる。
【００２９】
次に、吐出部１０に蓋をするキャップ３０を備え、このキャップ３０によって吐出部１０の蓋をした状態を、図６に基づいて説明する。
【００３０】
図６（ａ）の実施の形態では、キャップ３０は、吐出部１０の蓋をした状態で、棒部材１４を押し上げる。棒部材１４は、押し上げにより移動して吐出制御弁１４ａが吐出通路１３を開き、導入制御弁１４ｂが導入通路１２を閉じ、キャップ３０の凸部３０ａが吐出通路１３を閉じる。キャップ３０を吐出部１０から取り外し、この蓋を外した状態では、棒部材１４が押し上げと反対方向に移動して吐出制御弁１４ａが吐出通路１３を閉じ、導入制御弁１４ｂが導入通路１２を開き、平常状態とする。
【００３１】
図６（ｂ）の実施の形態は、図６（ａ）の実施の形態と同様に構成されるが、キャップ３０の凹部３０ｂが棒部材１４の先端部の大径に形成された部分１４ｅを押し、この部分１４ｅが吐出通路１３を閉じ、平常状態とする。
【００３２】
図６（ｃ）の実施の形態は、図６（ａ）の実施の形態と同様に構成されるが、キャップ３０の凹部３０ｂが棒部材１４の先端部を押す。棒部材１４は、押し上げにより移動して吐出制御弁１４ａが吐出通路１３を開き、導入制御弁１４ｂが導入通路１２を開いたままであるが、凹部３０ｂの周辺部分３０ｃが吐出通路１３を閉じ、平常状態とする。
【００３３】
図６（ｄ）の実施の形態は、図６（ａ）の実施の形態と同様に構成されるが、キャップ３０が棒部材１４の先端部を押す。棒部材１４は、押し上げにより移動して吐出制御弁１４ａが吐出通路１３を開き、導入制御弁１４ｂが導入通路１２を閉じ、キャップ３０が吐出通路１３を閉じ、平常状態とする。
【００３４】
このように、キャップ３０が吐出部１０の蓋をした状態では、棒部材１４を押し上げにより移動して吐出制御弁１４ａが吐出通路１３を開き、導入制御弁１４ｂが導入通路１２を閉じるまでの間、液の吐出が続けられる状態を維持し、吐出制御弁１４ａが吐出通路１３を開き、液の吐出が続けられる状態であってもキャップ３０により液の吐出が不可能である。キャップ３０が吐出部１０の蓋を外した状態では、棒部材１４が押し上げと反対方向に移動して吐出制御弁１４ａが吐出通路１３を閉じ、導入制御弁１４ｂが導入通路１２を開き、平常状態とする。
【００３５】
次に、吐出部１０に蓋をするキャップ３０を備え、このキャップ３０によって吐出部１０に蓋をする他の実施の形態を、図７に基づいて説明する。
【００３６】
この実施の形態では、吐出制御弁１４ａに液を溜める凹部１４ｆが形成され、この凹部１４ｆの凹みは吐出側に向いている。キャップ３０によって吐出部１０に蓋をした状態では、棒部材１４を押し上げる。棒部材１４は、押し上げにより移動して吐出制御弁１４ａが吐出通路１３を開き、導入制御弁１４ｂが導入通路１２を閉じ、キャップ３０が吐出通路１３を閉じる。このキャップ３０によって吐出部１０に蓋をした状態で、キャップ３０を下側に向けると、液室１１に溜まっている液が凹部１４ｆに入り込み溜まる（図７ａ）。
【００３７】
液を塗布するために、キャップ３０を吐出部１０から取り外すと、この蓋を外した状態では、棒部材１４が押し上げと反対方向に移動して吐出制御弁１４ａが吐出通路１３を閉じ、導入制御弁１４ｂが導入通路１２を開き、平常状態となる（図７ｂ）。この平常状態で吐出部１０を上方に向けると、液室１１に溜まっている液は、導入通路１２から流下して液貯蔵部２０内に戻されるが、凹部１４ｆに溜まっている液は流下することはない。
【００３８】
液を塗布するときに、吐出部１０を上方に向けて頭部に棒部材１４を押し付けると、押し上げにより移動して吐出制御弁１４ａが吐出通路１３を開き液の吐出を開始する（図７ｃ）。この開始時に、液貯蔵部２０から液が導入通路１２から流下して液室１１に入り込むが、この液室１１から液が吐出通路１３から吐出には時間がかかるが、凹部１４ｆに溜まっている液が吐出通路１３から吐出するから塗布使用時まで時間がかからず、すぐに液を吐出させることができる。
【００３９】
（第２の実施の形態）
この実施の形態の液吐出容器１は、図８に示すように構成され、図８（ａ）は棒部材１４の周囲に頭皮刺激部材５０を複数の円状に配置し、棒部材１４を頭皮刺激部材５０より高くした実施の形態であり、図８（ｂ）は棒部材１４の両側に平行して頭皮刺激部材５０を１個の円状に配置し、棒部材１４を頭皮刺激部材５０より高くした実施の形態であり、図８（ｃ）は棒部材１４の両側に平行して頭皮刺激部材５０を１個の円状に配置し、棒部材１４と頭皮刺激部材５０を同じ高さにした実施の形態である。
【００４０】
この頭皮刺激部材５０は、液を塗布する際に頭皮に接して刺激を与える構成であり、この実施の形態の頭皮刺激部材５０は、吐出部１０に一体に形成されている。棒部材１４が、押し上げにより移動して液を吐出させる際に、頭皮刺激部材５０が、頭皮に接して刺激し、液を毛髪や頭、顔の皮膚の必要とする場所へ適量塗布することができ、かつ頭皮に接して刺激を与えることが可能である。このようにして、頭皮、毛の生え際に液を直接塗布して地肌に擦り込み、液を散らしながら肌表面を刺激し、かつマッサージするなどを行う。
【００４１】
図８（ａ）及び図８（ｂ）の実施の形態では、棒部材１４を頭皮刺激部材５０より高くした構成であり、図８（ｃ）の実施の形態では、棒部材１４と頭皮刺激部材５０を同じ高さにした構成であり、頭皮刺激部材５０は吐出部１０とは別体としたものでもよく、例えばゴム棒、樹脂ブラシ、繊維ブラシなどで成形され、棒部材１４を押し上げるときに頭皮刺激部材５０が曲がり、液を吐出することができ、しかも頭皮刺激部材５０が、液を掃くようにして散らし、頭皮に接して刺激し、液を毛髪や頭、顔の皮膚の必要とする場所へ適量塗布することができ、かつ頭皮に接して刺激を与えることが可能である。
【００４２】
（第３の実施の形態）
この実施の形態の液吐出容器１は、第２の実施の形態と同様に構成されるが、図９に示すように、頭皮刺激部材５０をブラシで構成し、台座５１に取り付けられている。このブラシは、多孔質、繊維質、焼結質などで成形されるが、ブラシに代えて刷毛としてもよい。
【００４３】
この棒部材１４が、押し上げにより移動して吐出通路１３を開き、吐出通路１３から液を吐出させる際に、頭皮刺激部材５０が頭皮に接して刺激することができる。棒部材１４は、押し上げにより移動して吐出制御弁１４ａが吐出通路１３を開き液の吐出を開始し、導入制御弁１４ｂが導入通路１２を閉じるまで液の吐出を続け、液を毛髪や頭、顔の皮膚の必要とする場所への適量塗布が可能である（図９（ｂ））。この棒部材１４の押し上げを解除すると、付勢手段１５によって棒部材１４の吐出制御弁１４ａが吐出通路１３を閉じるために、液は吐出しない（図９（ａ））。
【００４４】
（第４の実施の形態）
この実施の形態の液吐出容器１は、第３の実施の形態と同様に構成されるが、図１０に示すように、棒部材１４にブラシ部材４１が設けられ、このブラシ部材４１は、多孔質、繊維質、焼結質などで成形される。また、棒部材１４には、吐出制御弁１４ａと導入制御弁１４ｂが設けられ、さらに液導入溝１４ｈが形成され、液導入溝１４ｈによって液室１１に液を容易に導入することができるようになっている。また、ブラシ部材４１を取り付けることに代えて、多孔質、繊維質、焼結質などで成形した棒を取り付けるようにしてもよい。棒部材１４にブラシ部材４１で構成し、このブラシ部材は、多孔質、繊維質などで成形することで、液が棒部材１４に含侵され、この棒部材１４を押すことで含侵した液が流下し、塗布される。
【００４５】
（第５の実施の形態）
この実施の形態の液吐出容器１は、第４の実施の形態と同様に構成されるが、図１１に示すように、棒部材１４が樹脂で一体に成形されている。
【００４６】
（第６の実施の形態）
この実施の形態の液吐出容器１は、第１の実施の形態乃至第５の実施の形態と同様に構成されるが、図１２に示すように、棒部材１４と頭皮刺激部材５０が配置される。
【００４７】
図１２（ａ）の実施の形態では、棒部材１４を中心に円状に頭皮刺激部材５０が複数個配置され、図１２（ｂ）の実施の形態では、棒部材１４を中心に２重の円状に頭皮刺激部材５０が複数個配置され、図１２（ｃ）の実施の形態では、棒部材１４を中心に楕円状に頭皮刺激部材５０が複数個配置され、図１２（ｄ）の実施の形態では、棒部材１４を中心に円状に頭皮刺激部材５０が複数個配置され、さらに外側に円弧状に頭皮刺激部材５０が複数個配置され、図１２（ｅ）の実施の形態では、棒部材１４を中心に両側に２列に頭皮刺激部材５０が複数個配置され、図１２（ｆ）の実施の形態では、棒部材１４を中心に両側に２列に頭皮刺激部材５０が配置され、図１２（ｇ）の実施の形態では、棒部材１４を中心に円状に頭皮刺激部材５０が配置される。
【００４８】
棒部材１４及び頭皮刺激部材５０は、樹脂、多孔質、繊維質、焼結質などの材料で成形され、これらの組み合わせは特に限定されず、使用目的に応じて選択できる。また、棒部材１４と頭皮刺激部材５０の形態も棒状、ブラシ状を使用目的に応じて組み合わせて使用することができる。
【００４９】
（第７の実施の形態）
この実施の形態の吐出部１０は、第１の実施の形態乃至第６の実施の形態と同様に構成されるが、図１３に示すように、吐出部１０を市販の液塗布用具１００に取り付けて使用する。
【００５０】
市販の液塗布用具１００は、図１３（ａ）に示すように、栓蓋１０１に形成されている吐出口１０２から液を塗布するように構成されている。この市販の液塗布用具１００の使用は、栓蓋１０１側を下方にした逆立て状態で、液塗布用具１００ごと上下に振って吐出口１０２から液を吐出させるから液の塗布量が一定ではない。また、髪の上から塗布するために髪の毛が濡れ、そして頭皮にかかるなどの問題があるために、栓蓋１０１を外して第１の実施の形態乃至第６の実施の形態の吐出部１０を取り付けて使用する（図１３（ｂ），（ｃ））。
【００５１】
（第８の実施の形態）
この実施の形態の液吐出容器１は、吐出部１０が第１の実施の形態乃至第７の実施の形態と同様に構成されるが、図１４に示すように、液貯蔵部２０の塗布側を屈曲し、この屈曲した部分２０ａに吐出部１０が取り付けられている。
【００５２】
この屈曲した部分２０ａには、図１５（ａ）及び図１５（ｂ）に示すように、仕切り壁１５ａ，１５ｂが設けられ、吐出部１０より液貯蔵部２０を上方にするとき液貯蔵部２０から液を吐出部１０に供給し、一方吐出部１０に液を供給した状態から吐出部１０より液貯蔵部２０を下方にしても仕切り壁１５ａ，１５ｂが液を吐出部１０に溜めることが可能になっている。
【００５３】
図１５（ａ）の実施の形態では、仕切り壁１５ａの壁面が棒部材１４の軸線方向に対して平行になるように配置され、図１５（ｂ）の実施の形態では、仕切り壁１５ｂの壁面が棒部材１４の軸線方向に対して交差するように配置される。
【００５４】
次に、この実施の形態の液吐出容器１の使用を、図１６及び図１７に基づいて説明する。図１６の実施の形態では、液を塗布する際には、正立させた状態から（図１６（ａ））、吐出部１０より液貯蔵部２０を上方にすると、このとき液貯蔵部２０から液が吐出部１０に供給され、液を塗布する（図１６（ｂ））。塗布するときには、吐出部１０に液を供給した状態から吐出部１０より液貯蔵部２０を下方にしても、液吐出容器１が傾いていれば、仕切り壁１５ａによって液を吐出部１０に溜めることが可能である。したがって、再度使用する際には、液が吐出部１０に溜っていることから迅速に液を塗布することができる（図１６（ｃ））。使用後に正立させると、仕切り壁１５ａによって液を吐出部１０に溜めることができず、液貯蔵部２０に戻る（図１６（ｄ））。      
【００５５】
図１７の実施の形態では、図１６の実施の形態と同様にして使用されるが（図１７（ａ）、（ｂ））、液吐出容器１が傾いていれば、仕切り壁１５ｂによって液を吐出部１０に溜めることが可能であり、再度使用する際には、液が吐出部１０に溜っていることから迅速に液を塗布することができるが（図１７（ｃ））、使用後に正立させても仕切り壁１５ｂによって液を吐出部１０に溜めることが可能である（図１７（ｄ））。
【産業上の利用可能性】
【００５６】
この発明は、育毛剤や整髪料、洗浄剤、化粧剤、美容剤等の液を貯留する液貯蔵部を有し、これらの液を適量吐出することのできる液吐出容器に適用でき、揮発の内気圧、自重、空気との交換の何れにも影響されることなく、液の適量吐出が可能である。
【符号の説明】
【００５７】
１  液吐出容器
１０  吐出部
１１  液室
１２  導入通路
１３  吐出通路
１４  棒部材
１４ａ  吐出制御弁
１４ｂ  導入制御弁
１４ｃ  溝部
１４ｄ  ブラシ又は刷毛
１４ｅ  大径に形成された部分
１４ｆ  凹部
１５  付勢手段
２０  液貯蔵部
３０  キャップ
３０ａ  凸部
３０ｂ  凹部
３０ｃ  周辺部分
５０  頭皮刺激部材
５１  台座
【図１】
2015107804.tif 000003
【図２】
2015107804.tif 000004
【図３】
2015107804.tif 000005
【図４】
2015107804.tif 000006
【図５】
2015107804.tif 000007
【図６】
2015107804.tif 000008
【図７】
2015107804.tif 000009
【図８】
2015107804.tif 000010
【図９】
2015107804.tif 000011
【図１０】
2015107804.tif 000012
【図１１】
2015107804.tif 000013
【図１２】
2015107804.tif 000014
【図１３】
2015107804.tif 000015
【図１４】
2015107804.tif 000016
【図１５】
2015107804.tif 000017
【図１６】
2015107804.tif 000018
【図１７】
2015107804.tif 000019